(57)【要約】【課題】  複数の電子装置が組み込まれた複合電子装置の動作を指令するリモコン信号のコードを共通化し、複合電子装置の出力モードを切り換えて、複合電子装置の動作を指令する共通コードのリモコン信号を送信して、複合電子装置の出力モードに対応した電子装置を動作させることができるようにする。【解決手段】  複合電子装置の出力モードの切換を指令するリモコン信号を送信して、該リモコン信号により指令された複合電子装置の出力モードに切り換え、複合電子装置の動作を指令する共通コードのリモコン信号を受信したとき、複合電子装置の出力モードに対応した電子装置を動作させるようにする。【選択図】        図１
2005073196.tif 000002
【特許請求の範囲】
【請求項１】
共通コードのリモコン信号により動作する複数の電子装置が組み込まれた複合電子装置であって、
複合電子装置の出力モードの切換を指令するリモコン信号と複合電子装置の動作を指令する共通コードのリモコン信号とを送信する送信手段と、前記送信手段から送信されたリモコン信号を受信する受信手段と、複合電子装置の出力モードを切り換える出力切換手段と、第１、第２の電子装置をそれぞれ制御する第１、第２の制御手段とを備え、
前記第１の制御手段は、前記受信手段が複合電子装置の出力モードの切換を指令するリモコン信号を受信したとき、前記出力切換手段を制御して、複合電子装置の出力モードを切り換えたとき、バスラインを介して、前記第２の制御手段にその旨を通知し、前記受信手段が複合電子装置の動作を指令する共通コードのリモコン信号を受信したとき、複合電子装置の出力モードを第１の電子装置の出力モードに切り換えた場合、該リモコン信号により指令された第１の電子装置の動作を制御し、
前記第２の制御手段は、前記受信手段が複合電子装置の動作を指令する共通コードのリモコン信号を受信したとき、前記第１の制御手段から複合電子装置の出力モードを第２の電子装置の出力モードに切り換えた旨の通知を受けた場合、該リモコン信号により指令された第２の電子装置の動作を制御するようにしたことを特徴とする複合電子装置。
【請求項２】
共通コードのリモコン信号により動作する複数の電子装置が組み込まれた複合電子装置であって、
複合電子装置の出力モードの切換を指令するリモコン信号と複合電子装置の動作を指令する共通コードのリモコン信号とを送信する送信手段と、前記送信手段から送信されたリモコン信号を受信する受信手段と、複合電子装置の出力モードを切り換える出力切換手段と、前記受信手段が複合電子装置の出力モードの切換を指令するリモコン信号を受信したとき、前記出力切換手段を制御して、該リモコン信号により指令された複合電子装置の出力モードに切り換え、前記受信手段が複合電子装置の動作を指令する共通コードのリモコン信号を受信したとき、複合電子装置の出力モードに対応して、該リモコン信号により指令された第１の電子装置の動作を制御する第１の制御手段と、前記受信手段が複合電子装置の動作を指令する共通コードのリモコン信号を受信したとき、複合電子装置の出力モードに対応して、該リモコン信号により指令された第２の電子装置の動作を制御する第２の制御手段とを備えたことを特徴とする複合電子装置。
【請求項３】
前記第１の制御手段は、前記受信手段が複合電子装置の動作を指令する共通コードのリモコン信号を受信したとき、複合電子装置の出力モードが前記第１の電子装置の出力モードである場合、該リモコン信号により指令された前記第１の電子装置の動作を制御する制御手段であることを特徴とする請求項２記載の複合電子装置。
【請求項４】
前記第２の制御手段は、前記受信手段が複合電子装置の動作を指令する共通コードのリモコン信号を受信したとき、複合電子装置の出力モードが前記第２の電子装置の出力モードである場合、該リモコン信号により指令された前記第２の電子装置の動作を制御する制御手段であることを特徴とする請求項２記載の複合電子装置。
【請求項５】
前記第１の制御手段は、前記出力切換手段を制御して、複合電子装置の出力モードを切り換えたとき、バスラインを介して、前記第２の制御手段にその旨を通知する制御手段であることを特徴とする請求項２記載の複合電子装置。
【発明の詳細な説明】
【技術分野】
【０００１】
本発明は、磁気テープに映像音声信号を記録再生するＶＣＲ（Ｖｉｄｅｏ  Ｃａｓｓｅｔｔｅ  Ｒｅｃｏｒｄｅｒ）装置、ＤＶＤ（Ｄｉｇｉｔａｌ  Ｖｅｒｓａｔｉｌｅ  Ｄｉｓｃ）等の光ディスクを再生するＤＶＤ装置等の複数の電子装置が組み込まれた複合電子装置に係り、特に共通コードのリモコン信号により複合電子装置に組み込まれた複数の電子装置を所望動作させることができる複合電子装置に関する。
【背景技術】
【０００２】
従来、ＶＣＲ装置、ＤＶＤ装置等が組み込まれた複合電子装置を遠隔操作するリモコン装置は、ＶＣＲ装置の動作を指令するリモコン信号を送信する場合とＤＶＤ装置の動作を指令するリモコン信号を送信する場合とで、リモコン信号のコードを切り換えて送信していたため、リモコン信号のコードが複合電子装置の動作モードと異なる場合、複合電子装置に組み込まれたＶＣＲ装置、ＤＶＤ装置が動作しないという問題点があった。つまり、複合電子装置の動作モードがＶＣＲ装置を動作させるＶＣＲモードのときに、ＤＶＤコードのリモコン信号がリモコン装置から送信されてもＶＣＲ装置が動作せず、複合電子装置の動作モードがＤＶＤ装置を動作させるＤＶＤモードのときに、ＶＣＲコードのリモコン信号がリモコン装置から送信されてもＤＶＤ装置が動作しないという問題点があった。
【０００３】
背景技術としては、リモコン信号の送信コードを切り換えて、複数の機器の動作を指令する動作キーにより複数の機器の動作を指令するリモコン信号を送信し、送信されたリモコン信号を受信して、受信したリモコン信号のコードに対応した機器からの出力に切り換え、受信したリモコン信号により指令された機器の動作を実行し、その機器からの映像音声信号を出力するようにしたものがあった（例えば、特許文献１参照）。
【０００４】
また、リモコン信号を受信したとき、受信したリモコン信号のコードを判別して、受信したリモコン信号が複合電子装置の出力モードと異なる機器の動作を指令するリモコン信号である場合、受信したリモコン信号のコードに対応した機器の出力に出力モードを切り換えて、出力モードを表示し、出力モードを切り換えるとき、出力モードの切換を報知して、出力モードを表示するようにしたものがあった（例えば、特許文献２参照）。
【０００５】
また、入力された操作命令がＤＶＤ再生部に対する操作命令である場合、ＤＶＤ制御部からＶＣＲ制御部に指示信号を出力して、ＤＶＤ再生部で再生された映像の出力に出力を切り換え、入力された操作命令がＶＣＲ再生部に対する操作命令である場合、ＶＣＲ再生部で再生された映像の出力に切り換えるようにしたものがあった（例えば、特許文献３参照）。
【０００６】
また、リモコン装置の送信信号を受信し、受信した指令データに基づいて電気機器の各部を制御する一方、受信した指令データが自機に向けられたものでないとき、伝送線路を介して当該指令データを他の電気機器に転送して、当該指令データに基づいて他の電気機器の各部を制御するようにしたものがあった（例えば、特許文献４参照）。
【特許文献１】実用新案登録第３０９３７２０号公報
【特許文献２】実用新案登録第３０９３８８２号公報
【特許文献３】実用新案登録第３０９３９７４号公報
【特許文献４】特開２００２−４４７６２号公報
【発明の開示】
【発明が解決しようとする課題】
【０００７】
しかしながら、背景技術で述べたものは、いずれも、２つの電子装置が組み込まれた複合電子装置のそれぞれの電子装置の動作を指令するため、電子装置の動作を指令する共通キーのコードを切り換えて、電子装置毎に異なるコードのリモコン信号を送信して、複合電子装置に組み込まれた電子装置を動作させるようになっていたため、２つの電子装置を動作させる共通キー毎に２つの異なるコードをリモコン装置のメモリに記憶させておかなければならず、多くのメモリ領域が必要になるという問題点があった。
【０００８】
本発明は、背景技術の有するこのような問題点に鑑みてなされたものであり、その目的とするところは、複数の電子装置が組み込まれた複合電子装置の動作を指令するリモコン信号のコードを共通化し、複合電子装置の出力モードを切り換えて、複合電子装置の動作を指令する共通コードのリモコン信号を送信して、複合電子装置の出力モードに対応した電子装置を動作させることができる複合電子装置を提供しようとするものである。
【課題を解決するための手段】
【０００９】
上記目的を達成するため本発明においては、共通コードのリモコン信号により動作する複数の電子装置が組み込まれた複合電子装置であって、複合電子装置の出力モードの切換を指令するリモコン信号と複合電子装置の動作を指令する共通コードのリモコン信号とを送信する送信手段と、前記送信手段から送信されたリモコン信号を受信する受信手段と、複合電子装置の出力モードを切り換える出力切換手段と、前記受信手段が複合電子装置の出力モードの切換を指令するリモコン信号を受信したとき、前記出力切換手段を制御して、該リモコン信号により指令された複合電子装置の出力モードに切り換え、前記受信手段が複合電子装置の動作を指令する共通コードのリモコン信号を受信したとき、複合電子装置の出力モードに対応して、該リモコン信号により指令された第１の電子装置の動作を制御する第１の制御手段と、前記受信手段が複合電子装置の動作を指令する共通コードのリモコン信号を受信したとき、複合電子装置の出力モードに対応して、該リモコン信号により指令された第２の電子装置の動作を制御する第２の制御手段とを備える。
【００１０】
前記第１の制御手段は、前記受信手段が複合電子装置の動作を指令する共通コードのリモコン信号を受信したとき、複合電子装置の出力モードが前記第１の電子装置の出力モードである場合、該リモコン信号により指令された前記第１の電子装置の動作を制御するようにする。
【００１１】
前記第２の制御手段は、前記受信手段が複合電子装置の動作を指令する共通コードのリモコン信号を受信したとき、複合電子装置の出力モードが前記第２の電子装置の出力モードである場合、該リモコン信号により指令された前記第２の電子装置の動作を制御するようにする。
【００１２】
前記第１の制御手段は、前記出力切換手段を制御して、複合電子装置の出力モードを切り換えたとき、バスラインを介して、前記第２の制御手段にその旨を通知するようにする。
【００１３】
これらの手段により、複数の電子装置が組み込まれた複合電子装置の動作を指令するリモコン信号のコードを共通化し、複合電子装置の出力モードを切り換えて、複合電子装置の動作を指令する共通コードのリモコン信号を送信して、複合電子装置の出力モードに対応した電子装置を動作させることができる。
【発明の効果】
【００１４】
請求項１記載の発明に係る複合電子装置によれば、複合電子装置の出力モードの切換を指令するリモコン信号を送信して、複合電子装置の出力モードを切り換え、第１の電子装置を制御する第１の制御手段から第２の電子装置を制御する第２の制御手段にバスラインを介してその旨を通知し、複合電子装置の出力モードが第１の電子装置の出力モードに切り換えられている場合、受信した複合電子装置の動作を指令する共通コードのリモコン信号により指令された第１の電子装置の動作をさせ、第１の制御手段から複合電子装置の出力モードを第２の電子装置の出力モードに切り換えた旨の通知を受けた場合、受信した複合電子装置の動作を指令する共通コードのリモコン信号により指令された第２の電子装置の動作をさせるようにしているので、複数の電子装置が組み込まれた複合電子装置の動作を指令するリモコン信号のコードを共通化し、複合電子装置の出力モードを切り換えて、複合電子装置の動作を指令する共通コードのリモコン信号を送信して、複合電子装置の出力モードに対応した電子装置を動作させることができる。
【００１５】
請求項２記載の発明に係る複合電子装置によれば、複合電子装置の出力モードの切換を指令するリモコン信号を送信して、該リモコン信号により指令された複合電子装置の出力モードに切り換え、複合電子装置の動作を指令する共通コードのリモコン信号を受信したとき、複合電子装置の出力モードに対応した第１又は第２の電子装置を動作させるようにしているので、複数の電子装置が組み込まれた複合電子装置の動作を指令するリモコン信号のコードを共通化し、複合電子装置の出力モードを切り換えて、複合電子装置の動作を指令する共通コードのリモコン信号を送信して、複合電子装置の出力モードに対応した電子装置を動作させることができる。
【００１６】
請求項３記載の発明に係る複合電子装置によれば、複合電子装置の動作を指令する共通コードのリモコン信号を受信したとき、複合電子装置の出力モードが第１の電子装置の出力モードである場合、該リモコン信号により指令された第１の電子装置の動作をさせるようにしているので、複数の電子装置が組み込まれた複合電子装置の動作を指令するリモコン信号のコードを共通化して、複合電子装置の動作を指令する共通コードのリモコン信号により複合電子装置の出力モードに対応した電子装置を動作させることができる。
【００１７】
請求項４記載の発明に係る複合電子装置によれば、複合電子装置の動作を指令する共通コードのリモコン信号を受信したとき、複合電子装置の出力モードが第２の電子装置の出力モードである場合、該リモコン信号により指令された第２の電子装置の動作をさせるようにしているので、複数の電子装置が組み込まれた複合電子装置の動作を指令するリモコン信号のコードを共通化して、複合電子装置の動作を指令する共通コードのリモコン信号により複合電子装置の出力モードに対応した電子装置を動作させることができる。
【００１８】
請求項５記載の発明に係る複合電子装置によれば、第１の制御手段は、前記出力切換手段を制御して、複合電子装置の出力モードを切り換えたとき、バスラインを介して、第１の制御手段から第２の制御手段に複合電子装置の出力モードを通知するようにしているので、複数の電子装置が組み込まれた複合電子装置の動作を指令するリモコン信号のコードを共通化して、複合電子装置の動作を指令する共通コードのリモコン信号により複合電子装置の出力モードに対応した電子装置を動作させることができる。
【発明を実施するための最良の形態】
【００１９】
以下、適宜図面を参照しながら本発明を実施するための最良の形態を詳述する。図１は本発明の一実施例の複合電子装置の構成を示すブロック図であり、図２は本発明の一実施例の複合電子装置のリモコン装置を示す説明図であり、図３は本発明の一実施例の複合電子装置のＶＣＲ装置の動作を示すフローチャートであり、図４は本発明の一実施例の複合電子装置のＤＶＤ装置の動作を示すフローチャートである。
【００２０】
まず、図１の本発明の一実施例の複合電子装置の構成を示すブロック図を基に説明する。
【００２１】
複合電子装置１は、共通コードのリモコン信号で動作するＶＣＲ装置１０とＤＶＤ装置２０とが組み込まれていて、複合電子装置１のＶＣＲ装置１０は、アンテナ１６により受信されたテレビ放送電波から選択されたチャンネルのテレビ放送を受信するチューナ１１と、磁気テープに映像音声信号を記録再生する磁気テープ記録再生部１２と、モニタ装置４０に出力する映像音声信号の出力を切り換える出力切換部１３と、ＶＣＲ装置１０のシステム全体を制御するマイコン１４と、リモコン装置３０から送信された赤外線信号のリモコン信号を受信して、所定の電気信号に変換するリモコン受信部１５とで構成されている。
【００２２】
また、複合電子装置１のＤＶＤ装置２０は、ＤＶＤ等の光ディスクに記録された映像音声信号を再生するディスク再生部２１と、リモコン受信部１５から送出されたリモコン信号に基づいて、ＤＶＤ装置２０のシステム全体を制御するマイコン２２とで構成されている。
【００２３】
また、ＶＣＲ装置１０のマイコン１４とＤＶＤ装置２０のマイコン２２とは、バスラインＡにより接続されていて、バスラインＡを介して相互に情報を送受信することができるようになっている。
【００２４】
また、図２の本発明の一実施例の複合電子装置のリモコン装置を示す説明図を基に説明する。
【００２５】
複合電子装置１のリモコン装置３０には、複合電子装置１に組み込まれたＶＣＲ装置１０を動作させるＶＣＲモード切換を指令するＶＣＲキー３０ａ、複合電子装置１に組み込まれたＤＶＤ装置２０を動作させるＤＶＤモード切換を指令するＤＶＤキー３０ｂ、複合電子装置１に組み込まれたＶＣＲ装置１０とＤＶＤ装置２０との動作を指令する複数の共通キー３０ｃが設けられていて、それらの操作キーを操作することにより複合電子装置１に組み込まれたＶＣＲ装置１０、ＤＶＤ装置２０を所望動作させることができるようになっている。なお、複数の共通キー３０ｃは、共通キーが操作されたとき、ＶＣＲ装置とＤＶＤ装置との動作を指令する共通コードのリモコン信号が送信されるようになっている。
【００２６】
以上のように構成された複合電子装置について、以下その動作について説明する。
【００２７】
リモコン装置３０の操作キーが操作されると、操作された操作キーのリモコン信号がリモコン装置３０から赤外線信号のリモコン信号として送信され、リモコン受信部１５により受信され、所定の電気信号に変換されてＶＣＲ装置１０のマイコン１４とＤＶＤ装置のマイコン２２とに送出される。ＶＣＲ装置１０のマイコン１４は、リモコン装置３０のＶＣＲキー３０ａのリモコン信号を受信すると、出力切換部１３を制御して、出力切換部１３をＶＣＲ装置１０からの映像音声信号を出力するＶＣＲモードに切り換え、バスラインＡを介して、複合電子装置１０の出力モードをＶＣＲ装置１０からの映像音声信号を出力するＶＣＲモードに切り換えた旨をＤＶＤ装置２０のマイコン２２に通知する。
【００２８】
また、ＶＣＲ装置のマイコン１４は、リモコン装置３０のＤＶＤキー３０ｂのリモコン信号を受信すると、出力切換部１３を制御して、出力切換部１３をＤＶＤ装置２０からの映像音声信号を出力するＤＶＤモードに切り換え、バスラインＡを介して、複合電子装置１０の出力モードをＤＶＤ装置２０からの映像音声信号を出力するＤＶＤモードに切り換えた旨をＤＶＤ装置２０のマイコン２２に通知する。
【００２９】
複合電子装置の出力モードがＶＣＲモードである場合に、リモコン装置３０の複数の共通キー３０ｃのいずれかの共通コードのリモコン信号を受信すると、ＶＣＲ装置１０のマイコン１４は、磁気テープ記録再生部１２に制御信号を送出して、受信した共通コードのリモコン信号により指令された記録再生部１２の動作を実行する。再生を指令する共通コードのリモコン信号を受信を受信した場合、ＶＣＲ装置１０のマイコン１４は、磁気テープ記録再生部１２に制御信号を送出して、磁気テープに記録された映像音声信号を再生し、出力切換部１３を介して、再生された映像音声信号をモニタ装置４０に出力する。また、複合電子装置の出力モードがＤＶＤモードである場合に、リモコン装置３０の複数の共通キー３０ｃのいずれかの共通コードのリモコン信号を受信しても、ＶＣＲ装置１０のマイコン１４は、そのリモコン信号を無視して、受信したリモコン信号により指令された動作を実行しないようになっている。
【００３０】
ＤＶＤ装置２０のマイコン２２は、バスラインＡを介して、ＶＣＲ装置１０のマイコン１４から複合電子装置の出力モードをＤＶＤモードに切り換えた旨の通知があった場合に、リモコン装置３０の複数の共通キー３０ｃのいずれかの共通コードのリモコン信号を受信すると、ディスク再生部２２に制御信号を送出して、受信した共通コードのリモコン信号により指令されたディスク再生部２２の動作を実行する。再生を指令する共通コードのリモコン信号を受信した場合、ＤＶＤ装置のマイコン２２は、ディスク再生部２２に制御信号を送出して、光ディスクに記録された映像音声信号を再生し、出力切換部１３を介して、再生された映像音声信号をモニタ装置４０に出力する。また、ＤＶＤ装置２０のマイコン２２は、バスラインＡを介して、ＶＣＲ装置１０のマイコン１４から複合電子装置の出力モードをＶＣＲモードに切り換えた旨の通知があった場合に、リモコン装置３０の複数の共通キー３０ｃのいずれかの共通コードのリモコン信号を受信しても、そのリモコン信号を無視して、受信したリモコン信号により指令された動作を実行しないようになっている。
【００３１】
また、図３の本発明の一実施例の複合電子装置のＶＣＲ装置の動作を示すフローチャートを基に説明する。
【００３２】
リモコン装置のキー操作により赤外線信号のリモコン信号が送信され、リモコン受信部により受信されると、ステップＳ１からステップＳ２に進み、ステップＳ２で、受信されたリモコン信号がＶＣＲキーのリモコン信号であるか否かが判断され、受信されたリモコン信号がＶＣＲキーのリモコン信号である場合、ステップＳ３に進み、受信されたリモコン信号がＶＣＲキーのリモコン信号でない場合、ステップＳ４に進む。
【００３３】
ステップＳ３で、複合電子装置の出力モードがＶＣＲ装置からの映像音声信号を出力するＶＣＲモードに切り換えられ、ＤＶＤ装置のマイコンと接続されたバスラインを介して、複合電子装置の出力モードがＶＣＲ装置からの映像音声信号を出力するＶＣＲモードに切り換えた旨がＤＶＤ装置のマイコンに通知され、ステップＳ６に進む。
【００３４】
ステップＳ４で、受信されたリモコン信号がＤＶＤキーのリモコン信号であるか否かが判断され、受信されたリモコン信号がＤＶＤキーのリモコン信号である場合、ステップＳ５に進み、受信されたリモコン信号がＤＶＤキーのリモコン信号でない場合、ステップＳ６に進む。
【００３５】
ステップＳ５で、複合電子装置の出力モードがＤＶＤ装置からの映像音声信号を出力するＤＶＤモードに切り換えられ、ＤＶＤ装置のマイコンと接続されたバスラインを介して、複合電子装置の出力モードがＤＶＤ装置からの映像音声信号を出力するＤＶＤモードに切り換えた旨がＤＶＤ装置のマイコンに通知され、ステップＳ８に進んで処理を終了する。
【００３６】
ステップＳ６で、複合電子装置の出力モードがＶＣＲ装置からの映像音声信号を出力するＶＣＲモードに切り換えられているか否かが判断され、複合電子装置の出力モードがＶＣＲモードに切り換えられている場合、ステップＳ７に進み、複合電子装置の出力モードがＶＣＲモードに切り換えられていない場合、即ち、複合電子装置の出力モードがＤＶＤ装置からの映像音声信号を出力するＤＶＤモードに切り換えている場合、ステップＳ８に進んで処理を終了する。
【００３７】
ステップＳ７で、受信された共通コードのリモコン信号により指令されたＶＣＲ装置の動作が実行され、ステップＳ８に進んで処理を終了する。
【００３８】
また、図４の本発明の一実施例の複合電子装置のＤＶＤ装置の動作を示すフローチャート基に説明する。
【００３９】
リモコン装置から送信された赤外線信号のリモコン信号を受信すると、ステップＳ１１からステップＳ１２に進み、ステップＳ１２で、受信されたリモコン信号がＶＣＲキーのリモコン信号であるか否かが判断され、受信されたリモコン信号がＶＣＲキーのリモコン信号である場合、ステップＳ１６に進んで処理を終了し、受信されたリモコン信号がＶＣＲキーのリモコン信号でない場合、ステップＳ１３に進む。
【００４０】
ステップＳ１３で、受信されたリモコン信号がＤＶＤキーのリモコン信号であるか否かが判断され、受信されたリモコン信号がＤＶＤキーのリモコン信号である場合、ステップＳ１６に進んで処理を終了し、受信されたリモコン信号がＤＶＤキーのリモコン信号でない場合、ステップＳ１４に進む。
【００４１】
ステップＳ１４で、ＶＣＲ装置のマイコンと接続されたバスラインを介して、ＶＣＲ装置のマイコンから複合電子装置の出力モードがＤＶＤ装置からの映像音声信号を出力するＤＶＤモードに切り換えた旨の通知があったか否かが判断され、複合電子装置の出力モードがＤＶＤモードに切り換えた旨の通知があった場合、ステップＳ１３に進み、複合電子装置の出力モードがＤＶＤモードに切り換えた旨の通知がない場合、即ち、複合電子装置の出力モードがＶＣＲ装置からの映像音声信号を出力するＶＣＲモードに切り換えられた旨の通知があった場合、ステップＳ１６に進んで処理を終了する。
【００４２】
ステップＳ１５で、受信された共通コードのリモコン信号により指令されたＤＶＤ装置の動作が実行され、ステップＳ１６に進んで処理を終了する。
【００４３】
以上、本発明を実施するための最良の形態について詳述したが、本発明はこれに限らず、当業者の通常の知識の範囲内でその変形や改良が可能である。例えば、ＶＣＲ装置とＤＶＤ装置とが組み込まれた複合電子装置について説明したが、ＣＤ（Ｃｏｍｐａｃｔ  Ｄｉｓｋ）装置等の複数の電子装置が組み込まれた複合電子装置にも適用することができる。
【図面の簡単な説明】
【００４４】
【図１】本発明の一実施例の複合電子装置の構成を示すブロック図である。
【図２】本発明の一実施例の複合電子装置のリモコン装置を示す説明図である。
【図３】本発明の一実施例の複合電子装置のＶＣＲ装置の動作を示すフローチャートである。
【図４】本発明の一実施例の複合電子装置のＤＶＤ装置の動作を示すフローチャートである。
【符号の説明】
【００４５】
１  複合電子装置
１０  ＶＣＲ装置
１１  チューナ
１２  磁気テープ記録再生部
１３  マイコン
１４  出力切換部
１５  リモコン受信部
１６  アンテナ
２０  ＤＶＤ装置
２１  ディスク再生部
２２  マイコン
３０  リモコン装置
３０ａ  ＶＣＲキー
３０ｂ  ＤＶＤキー
３０ｃ  共通キー
４０  モニタ装置
Ａ  バスライン
【図１】
2005073196.tif 000003
【図２】
2005073196.tif 000004
【図３】
2005073196.tif 000005
【図４】
2005073196.tif 000006